(57)【要約】【課題】通話の正確率を高めることができるネットワーク装置を提供する。【解決手段】ネットワーク装置は、状態情報システムと、インターフェース・システム及び管理システムを備える。状態情報システムは、メイン状態情報モジュール及びバック・アップ状態情報モジュールを備えインターフェース・システムは、メイン・インターフェース・モジュール及びバック・アップ・インターフェース・モジュールを備える。管理システムは、間違いが発生したメイン状態情報モジュール及び／または間違いが発生したメイン・インターフェース・モジュールを、バック・アップ状態情報モジュール及び／またはバック・アップ・インターフェース・モジュールにそれぞれ取り替え、インターフェース・システムに取り替え情報を送信する。インターフェース・システムは取り替え情報を受信し、ユーザー状態情報を状態情報システムと同一のユーザー状態情報に更新する。【選択図】図２
2007282236.tif 000002
【特許請求の範囲】
【請求項１】
ユーザー端末とローカル交換機との間に接続されるネットワーク装置であって、
前記ネットワーク装置は、状態情報システムと、インターフェース・システム及び管理システムを備え、
前記状態情報システムは、メイン状態情報モジュール及びバック・アップ状態情報モジュールを備え、ユーザー端末の状態情報を記録することに用いられ、
前記インターフェース・システムは、メイン・インターフェース・モジュール及びバック・アップ・インターフェース・モジュールを備え、前記ユーザー端末の状態情報を記録し、前記状態情報システムと前記インターフェース・システムが記録したユーザー端末の状態情報が同じであるかどうかを査問し、且つ判断することに用いられ、
前記管理システムは、前記メイン状態情報モジュール及び／または前記メイン・インターフェース・モジュールに間違いが発生したかどうかを検出し、間違いが発生した前記メイン状態情報モジュール及び／または間違いが発生した前記メイン・インターフェース・モジュールを、バック・アップ状態情報モジュール及び／またはバック・アップ・インターフェース・モジュールにそれぞれ取り替え、且つ前記インターフェース・システムに取り替え情報を送信することに用いられ、
其の中、前記インターフェース・システムは、さらに前記取り替え情報を受信することに用いられ、それが記録したユーザー端末の状態情報を、前記状態情報システムが記録した同一のユーザー端末の状態情報に更新することを特徴とするネットワーク装置。
【請求項２】
前記メイン状態情報モジュールは、前記ユーザー端末の状態情報を獲得することに用いられることを特徴とする請求項１に記載のネットワーク装置。
【請求項３】
前記バック・アップ状態情報モジュールは、前記メイン状態情報モジュールが前記ユーザー端末から獲得した状態情報をバック・アップすることに用いられることを特徴とする請求項２に記載のネットワーク装置。
【請求項４】
前記メイン・インターフェース・モジュールは、前記状態情報システムから前記ユーザー端末の状態情報を獲得することに用いられることを特徴とする請求項３に記載のネットワーク装置。
【請求項５】
前記メイン・インターフェース・モジュールは、第一ユーザー・データ・ベースを備え、前記第一ユーザー・データ・ベースが、前記メイン・インターフェース・モジュールが前記状態情報システムから獲得したユーザー端末の状態情報を記録することに用いられることを特徴とする請求項４に記載のネットワーク装置。
【請求項６】
前記メイン・インターフェース・モジュールは、第一判断サブモジュールを備え、前記第一判断サブモジュールが、前記第一ユーザー・データ・ベースと前記バック・アップ状態情報モジュールが記録したユーザー端末の状態情報が同じであるかどうかを検出し、且つ判断することに用いられることを特徴とする請求項５に記載のネットワーク装置。
【請求項７】
前記バック・アップ・インターフェース・モジュールは、第二ユーザー・データ・ベースを備え、前記第二ユーザー・データ・ベースが、前記第一ユーザー・データ・ベースが記録した前記ユーザー端末の状態情報をバック・アップすることに用いられることを特徴とする請求項５に記載のネットワーク装置。
【請求項８】
前記バック・アップ・インターフェース・モジュールは、第二判断サブモジュールを備え、前記第二判断サブモジュールが、前記第二ユーザー・データ・ベースと前記メイン状態情報モジュールが記録した同一のユーザー端末の状態情報が同じであるかどうかを検出し、且つ判断することに用いられることを特徴とする請求項７に記載のネットワーク装置。
【請求項９】
状態情報システムと、インターフェース・システム及び管理システムを備えるネットワーク装置に適用され、前記状態情報システム及び前記インターフェース・システムが記録したユーザー状態情報を同期化することに用いられるユーザー状態情報同期化方法であって、
前記状態情報システムは、メイン状態情報モジュール及びバック・アップ状態情報モジュールを備え、
前記インターフェース・システムは、メイン・インターフェース・モジュール及びバック・アップ・インターフェース・モジュールを備え、
前記ユーザー状態情報同期化方法は、
前記ネットワーク装置において、前記管理システムが、前記メイン状態情報モジュール及び／または前記メイン・インターフェース・モジュールに間違いが発生したかどうかを検出するステップと、
もしモジュールに間違いが発生すると、前記管理システムが、間違いが発生した前記メイン状態情報モジュール及び／または間違いが発生した前記メイン・インターフェース・モジュールを、バック・アップ状態情報モジュール及び／またはバック・アップ・インターフェース・モジュールにそれぞれ取り替え、且つ前記インターフェース・システムに取り替え情報を送信するステップと、
前記インターフェース・システムが、取り替え情報を受信した後、前記状態情報システムと前記インターフェース・システムが記録したユーザー状態情報が同じであるかどうかを判断するステップと、
もし同じでなければ、前記インターフェース・システムが、それが記録したユーザー状態情報を、前記状態情報システムが記録したユーザー状態情報に更新するステップと、
を備えることを特徴とするユーザー状態情報同期化方法。
【請求項１０】
前記管理システムが、前記状態情報システム及びインターフェース・システムの中のモジュールに間違いが発生したことを検出した時、間違いが発生したモジュールが前記メイン・インターフェース・モジュールであるかどうかを判断するステップをさらに備えることを特徴とする請求項９に記載のユーザー状態情報同期化方法。
【請求項１１】
もし間違いが発生したモジュールが前記メイン・インターフェース・モジュールならば、管理システムが、メイン・インターフェース・モジュールを、バック・アップ・インターフェース・モジュールに取り替え、且つ取り替え情報を前記バック・アップ・インターフェース・モジュールの第二判断サブモジュールに送信するステップと、
前記第二判断サブモジュールによって、前記バック・アップ・インターフェース・モジュールの第二ユーザー・データ・ベースと前記メイン状態情報モジュールが記録したユーザー端末の状態情報が同じであるかどうかを検出し、且つ判断するステップと、
もし同じでなければ、前記第二判断サブモジュールが、前記第二ユーザー・データ・ベースが記録したユーザー状態情報を前記メイン状態情報モジュールが記録したユーザー状態情報に更新するステップと、
をさらに備えることを特徴とする請求項１０に記載のユーザー状態情報同期化方法。
【請求項１２】
もし間違いが発生したモジュールが前記メイン状態情報モジュールならば、管理システムが、メイン状態情報モジュールを、バック・アップ状態情報モジュールに取り替え、且つ取り替え情報を前記メイン・インターフェース・モジュールの第一判断サブモジュールに送信するステップと、
前記第一判断サブモジュールによって、前記メイン・インターフェース・モジュールの第一ユーザー・データ・ベースとバック・アップ状態情報モジュールが記録したユーザー端末の状態情報が同じであるかどうかを検出し、且つ判断するステップと、
もし同じでなければ、前記第一判断サブモジュールが、前記第一ユーザー・データ・ベースが記録したユーザー状態情報を、前記バック・アップ状態情報モジュールが記録したユーザー状態情報に更新するステップと、
をさらに備えることを特徴とする請求項１０に記載のユーザー状態情報同期化方法。
【発明の詳細な説明】
【技術分野】
【０００１】
本発明は、ネットワーク装置及び其の管理方法に関するものであり、特にアクセス・ネットワーク装置及び其の情報同期化方法に関するものである。
【背景技術】
【０００２】
米国ベル通信研究所（Ｂｅｌｌｃｏｒｅ）は、８０年代末期にＶ５インターフェースの概念を提出し、且つ９０年代初期にＴＲ３０３と称する北アメリカ企業技術標準を制定した。ＴＲ３０３は、Ｖ５インターフェースの前身であって、それは最多で２８個のＴ１（１５４４ｋｂｉｔ/ｓ）リンクを提供し、ローカル交換機（Ｌｏｃａｌ  Ｅｘｃｈａｎｇｅ，ＬＥ）は、ＴＲ３０３技術標準が提供する埋め込み操作チャネルによって、アクセス・ネットワーク（Ａｃｃｅｓｓ  Ｎｅｔｗｏｒｋ，ＡＮ）設備を管理する。ヨーロッパ電信標準化協会（Ｅｕｒｏｐｅａｎ  Ｔｅｌｅｃｏｍｍｕｎｉｃａｔｉｏｎ  Ｓｔａｎｄａｒｄｓ  Ｉｎｓｔｉｔｕｔｅ，ＥＴＳＩ）は、１９９３年にＴＲ３０３技術標準に基づいてＶ５技術標準を発布した。Ｖ５インターフェースを有するアクセス・ネットワーク装置の管理は、配置管理と、故障管理及び性能管理などを備える。
【０００３】
公衆交換電話ネットワークにおいて、ユーザー端末は、アクセス・ネットワーク装置を介してローカル交換機に接続する。前記アクセス・ネットワーク装置は、ユーザーのさまざまな情報を記録することに用いられる状態情報システムと、Ｖ５インターフェース・システム及び管理システムを備える。前記状態情報システムがユーザー端末に直接に接続するため、ユーザー端末の状態に変化が発生した時、前記状態情報システムは、ユーザー端末の即時情報を最も早く獲得する。公衆交換電話ネットワークにおいて、電話線路が滞りなく通じることを確保するため、状態情報システム及びＶ５インターフェース・システムの重要なモジュールに全てバック・アップ・モジュールを設置する。これらの重要なモジュールに間違いが発生した時、前記管理システムは、間違いが発生したモジュールを、バック・アップ・モジュールに取り替えることにより、取り替える前に既に確立した通話を続いて行うことにする。管理システムによって、間違いが発生したモジュールを取り替える過程中、もしユーザー端末がちょうど通話状態を改変すると、例えば、オフ・フック（ｏｆｆ-ｈｏｏｋ）状態からオン・フック（ｏｎ-ｈｏｏｋ）状態に改変すると、この時、管理システムは、ユーザー端末の改変した後の状態をただちにインターフェース・システムの中に記録することができなくて、前記状態情報システムとＶ５インターフェース・システムの中に記録したユーザー端末の状態情報は、同期化されずに、従って公衆交換電話ネットワークに通信の異常が発生する。
【発明の開示】
【発明が解決しようとする課題】
【０００４】
本発明の第一の目的は、前述の問題を解決し、公衆交換電話ネットワークにおいて、ネットワーク装置に間違いが発生するためにもたらされる通信の異常を解決することに用いられるネットワーク装置を提供することである。
【０００５】
本発明の第二の目的は、前述の問題を解決し、公衆交換電話ネットワークにおいて、ネットワーク装置に間違いが発生するためにもたらされる通信の異常を解決することに用いられるユーザー状態情報同期化方法を提供することである。
【課題を解決するための手段】
【０００６】
前記第一の目的を達成するため、本発明に係るネットワーク装置は、ユーザー端末及びローカル交換機に接続され、前記ネットワーク装置は、状態情報システムと、インターフェース・システム及び管理システムを備える。前記状態情報システムは、メイン状態情報モジュール及びバック・アップ状態情報モジュールを備え、ユーザー端末の状態情報を記録することに用いられる。前記インターフェース・システムは、メイン・インターフェース・モジュール及びバック・アップ・インターフェース・モジュールを備え、ユーザー端末の状態情報を記録し、前記状態情報システムとインターフェース・システムが記録したユーザー端末の状態情報が同じであるかどうかを査問し、且つ判断することに用いられる。前記管理システムは、前記メイン状態情報モジュール及び／または前記メイン・インターフェース・モジュールに間違いが発生したかどうかを検出し、間違いが発生した前記メイン状態情報モジュール及び／または間違いが発生した前記メイン・インターフェース・モジュールを、バック・アップ状態情報モジュール及び／またはバック・アップ・インターフェース・モジュールにそれぞれ取り替え、且つ前記インターフェース・システムに取り替え情報を送信することに用いられる。其の中、前記インターフェース・システムは、さらに前記取り替え情報を受信することに用いられ、それが記録した前記ユーザー端末の状態情報を、前記状態情報システムが記録した同一のユーザー端末の状態情報に更新する。
【０００７】
前記第二の目的を達成するため、本発明に係るユーザー状態情報同期化方法は、状態情報システムと、インターフェース・システム及び管理システムを備えるネットワーク装置に適用され、前記状態情報システム及び前記インターフェース・システムが記録したユーザー状態情報を同期化することに用いられる。前記状態情報システムは、メイン状態情報モジュール及びバック・アップ状態情報モジュールを備える。前記インターフェース・システムは、メイン・インターフェース・モジュール及びバック・アップ・インターフェース・モジュールを備える。前記ユーザー状態情報同期化方法は、前記管理システムが、前記ネットワーク装置において、前記メイン状態情報モジュール及び／または前記メイン・インターフェース・モジュールに間違いが発生したかどうかを検出するステップを備える。もしモジュールに間違いが発生すると、前記管理システムが、間違いが発生した前記メイン状態情報モジュール及び／または間違いが発生した前記メイン・インターフェース・モジュールを、バック・アップ状態情報モジュール及び／またはバック・アップ・インターフェース・モジュールにそれぞれ取り替え、且つ前記インターフェース・システムに取り替え情報を送信する。前記インターフェース・システムが、取り替え情報を受信した後、状態情報システムとインターフェース・システムが記録したユーザー状態情報が同じであるかどうかを査問し、且つ判断する。もし同じでなければ、前記インターフェース・システムが、記録したユーザー状態情報を前記状態情報システムが記録したユーザー状態情報に更新する。
【発明の効果】
【０００８】
本発明のネットワーク装置及び其のユーザー状態情報同期化方法は、インターフェース・システムに記録したユーザー状態情報を正確に同期化して確保することができ、したがって通信ネットワークが正常に作動することを確保することができる。
【発明を実施するための最良の形態】
【０００９】
図１は、本発明のネットワーク装置２０の適用環境を示す図である。ネットワーク装置２０は、ユーザー端末１０及びローカル交換機３０に接続されており、ローカル交換機３０は、Ｖ５インターフェースの中の専用埋め込み操作チャネル（Ｅｍｂｅｄｄｅｄ  Ｏｐｅｒａｔｉｏｎ  Ｃｈａｎｎｅｌ，ＥＯＣ）によって、ネットワーク装置２０を管理する。本実施形態において、ユーザー端末１０は、電話機であることができ、ネットワーク装置２０は、アクセス・ネットワーク（Ａｃｃｅｓｓ  Ｎｅｔｗｏｒｋ，ＡＮ）設備であることができる。
【００１０】
図２は、本発明の実施形態のネットワーク装置２０の構成を示すブロック図である。ネットワーク装置２０は、状態情報システム２２と、インターフェース・システム２６及び管理システム２４を備える。前記状態情報システム２２は、ユーザー端末１０の状態情報を記録することに用いられる。
【００１１】
前記状態情報システム２２は、メイン状態情報モジュール２２２及びバック・アップ状態情報モジュール２２４を備え、前記メイン状態情報モジュール２２２は、ユーザー端末１０の状態情報を獲得し、且つ記録することに用いられ、前記バック・アップ状態情報モジュール２２４は、前記メイン状態情報モジュール２２２が前記ユーザー端末１０から獲得したユーザー状態情報をバック・アップすることに用いられる。前記メイン状態情報モジュール２２２に間違いが発生した時、前記管理システム２４は、メイン状態情報モジュール２２２を、バック・アップ状態情報モジュール２２４に取り替える。間違いが発生したメイン状態情報モジュール２２２が修復されると、前記管理システム２４は、バック・アップ状態情報モジュール２２４を、修復された後のメイン状態情報モジュール２２２に取り替える。
【００１２】
前記インターフェース・システム２６は、メイン・インターフェース・モジュール２６０及びバック・アップ・インターフェース・モジュール２６２を備える。前記メイン・インターフェース・モジュール２６０は、前記状態情報システム２２からユーザー端末１０の状態情報を獲得することに用いられる。前記バック・アップ・インターフェース・モジュール２６２は、前記メイン・インターフェース・モジュール２６０のユーザー情報をバック・アップすることに用いられる。前記メイン・インターフェース・モジュール２６０に間違いが発生した時、前記管理システム２４は、メイン・インターフェース・モジュール２６０を、バック・アップ・インターフェース・モジュール２６２に取り替え、前記ネットワーク装置２０が続いて正常に作動するようにする。
【００１３】
本実施形態において、前記メイン・インターフェース・モジュール２６０は、第一ユーザー・データ・ベース２６０２及び第一判断サブモジュール２６０４を備える。前記第一ユーザー・データ・ベース２６０２は、前記メイン・インターフェース・モジュール２６０が前記状態情報システム２２から獲得したユーザー状態情報を記録することに用いられる。前記第一判断サブモジュール２６０４は、前記第一ユーザー・データ・ベース２６０２とバック・アップ状態情報モジュール２２４が記録したユーザー端末１０の状態情報が同じであるかどうかを査問し、且つ判断することに用いられる。
【００１４】
本実施形態において、前記バック・アップ・インターフェース・モジュール２６２は、第二ユーザー・データ・ベース２６２２及び第二判断サブモジュール２６２４を備える。前記第二ユーザー・データ・ベース２６２２は、前記第一ユーザー・データ・ベース２６０２のユーザー端末１０の情報をバック・アップすることに用いられる。前記第二判断サブモジュール２６２４は、前記第二ユーザー・データ・ベース２６２２とメイン状態情報モジュール２２２が記録したユーザー端末１０の状態情報が同じであるかどうかを査問し、且つ判断することに用いられる。
【００１５】
前記管理システム２４は、前記状態情報システム２２とインターフェース・システム２６に間違いが発生したかどうかを検出し、間違いが発生した状態情報システム２２とインターフェース・システム２６を取り替え、且つ取り替え情報をインターフェース・システム２６に送信することに用いられる。
【００１６】
前記インターフェース・システム２６は、前記状態情報システム２２とインターフェース・システム２６が記録したユーザー端末１０の状態情報が同じであるかどうかを査問し、且つ判断することに用いられる。前記インターフェース・システム２６は、さらに前記管理システム２４が送信する取り替え情報を受信し、且つそれが記録したユーザー端末１０の状態情報を前記状態情報システム２２と同一の状態情報に更新することに用いられる。
【００１７】
本実施形態において、前記メイン・インターフェース・モジュール２６０とバック・アップ・インターフェース・モジュール２６２は、Ｖ５インターフェース協定を介して、ローカル交換機３０及び状態情報システム２２と通信を行う。
【００１８】
図３は、本発明の実施形態のユーザー状態情報の同期化方法を示すフローチャートである。
【００１９】
ステップＳ３００において、ネットワーク装置２０は、正常な通信状態で動作する。
【００２０】
ステップＳ３０２において、管理システム２４は、ネットワーク装置２０の中のメイン状態情報モジュール２２２及びメイン・インターフェース・モジュール２６０に間違いが発生したかどうかを検出する。もしメイン状態情報モジュール２２２及びメイン・インターフェース・モジュール２６０の何れか一つに間違いが発生すると、ステップＳ３０４に進む。もしメイン状態情報モジュール２２２及びメイン・インターフェース・モジュール２６０が全て正常に作動すると、ステップＳ３００に戻り、続いて検出する。
【００２１】
ステップＳ３０４において、管理システム２４は、間違いが発生したモジュールを取り替え、且つ取り替え情報をインターフェース・システム２６に送信する。本実施形態において、バック・アップ状態情報モジュール２２４は、メイン状態情報モジュール２２２が記録したユーザー端末１０の全部の状態情報をバック・アップしてある。前記メイン状態情報モジュール２２２に間違いが発生した時、管理システム２４は、間違いが発生したメイン状態情報モジュール２２２を、バック・アップ状態情報モジュール２２４に取り替え、前記状態情報システム２２が続いて正常な通信状態で動作するようにする。バック・アップ・インターフェース・モジュール２６２は、メイン・インターフェース・モジュール２６０が記録したユーザー端末１０の全部の状態情報をバック・アップしてある。前記メイン・インターフェース・モジュール２６０に間違いが発生した時、前記管理システム２４は、メイン・インターフェース・モジュール２６０を、バック・アップ・インターフェース・モジュール２６２に取り替え、前記インターフェース・システム２６が続いて正常な通信状態で動作するようにする。
【００２２】
ステップＳ３０６に進み、前記第一判断サブモジュール２６０４または第二判断サブモジュール２６２４は、前記状態情報システム２２とインターフェース・システム２６が記録した同一のユーザー端末１０の状態情報が同じであるかどうかを査問し、且つ判断する。本実施形態において、前記第一判断サブモジュール２６０４によって判断するか、それとも第二判断サブモジュール２６２４によって判断するかは、前記ネットワーク装置２０の中で、メイン状態情報モジュール２２２に間違いが発生したか、それともメイン・インターフェース・モジュール２６０に間違いが発生したかに係る。詳しく説明すると、前記メイン状態情報モジュール２２２に間違いが発生した時、管理システム２４は、間違いが発生したメイン状態情報モジュール２２２を、バック・アップ状態情報モジュール２２４に取り替え、この時、前記第一判断サブモジュール２６０４によって、前記第一ユーザー・データ・ベース２６０２とバック・アップ状態情報モジュール２２４が記録した同一のユーザー端末１０の状態情報が同じであるかどうかを判断する。前記メイン・インターフェース・モジュール２６０に間違いが発生した時、管理システム２４は、メイン・インターフェース・モジュール２６０を、バック・アップ・インターフェース・モジュール２６２に取り替え、この時、第二判断サブモジュール２６２４によって、前記第二ユーザー・データ・ベース２６２２とメイン状態情報モジュール２２２が記録した同一のユーザー端末１０の状態情報が同じであるかどうかを判断する。もし同じでなければ、ステップＳ３０８に進む。もし同じならば、ステップＳ３００に戻り、続いて検出する。
【００２３】
ステップＳ３０８において、前記インターフェース・システム２６は、それが記録したユーザー端末１０の状態情報を前記状態情報システム２２が記録したユーザー端末１０の状態情報に更新する。
【００２４】
図４は、図３を細分化したフローチャートである。
【００２５】
ステップＳ４００において、ネットワーク装置２０は、正常な通信状態で動作する。
【００２６】
ステップＳ４０２において、管理システム２４は、ネットワーク装置２０の中のモジュールに間違いが発生したかどうかを検出する。もしモジュールに間違いが発生すると、ステップＳ４０４に進む。もしモジュールに間違いが発生しなければ、ステップＳ４００に戻り、続いて検出する。
【００２７】
ステップＳ４０４において、管理システム２４は、間違いが発生したモジュールがメイン・インターフェース・モジュール２６０であるかどうかを判断する。本実施形態において、ネットワーク装置２０では、メイン状態情報モジュール２２２及びメイン・インターフェース・モジュール２６０だけに間違いが発生する可能性がある。
【００２８】
もし前記メイン・インターフェース・モジュール２６０に間違いが発生すると、ステップＳ４６０に進み、管理システム２４は、メイン・インターフェース・モジュール２６０を、バック・アップ・インターフェース・モジュール２６２に取り替える。それからステップＳ４１０に進み、管理システム２４は、取り替え情報を前記第二判断サブモジュール２６２４に送信する。
【００２９】
ステップＳ４１４に進み、前記第二判断サブモジュール２６２４は、前記第二ユーザー・データ・ベース２６２２とメイン状態情報モジュール２２２が記録した同一のユーザー端末１０の状態情報が同じであるかどうかを判断する。もし同じならば、ステップＳ４００に戻り、続いて検出する。もし同じでなければ、ステップＳ４１８に進む。
【００３０】
ステップＳ４１８において、前記第二判断サブモジュール２６２４は、前記第二ユーザー・データ・ベース２６２２が記録したユーザー端末１０の状態情報と前記メイン状態情報モジュール２２２が記録した同一のユーザー端末１０の状態情報を同期化する。
【００３１】
ステップＳ４０４において、もしメイン状態情報モジュール２２２に間違いが発生すると、ステップＳ４０８に進む。管理システム２４は、メイン状態情報モジュール２２２を、バック・アップ状態情報モジュール２２４に取り替える。
【００３２】
ステップＳ４１２に進み、管理システム２４は、取り替え情報を前記第一判断サブモジュール２６０４に送信する。
【００３３】
ステップＳ４１６に進み、前記第一判断サブモジュール２６０４は、前記第一ユーザー・データ・ベース２６０２とバック・アップ状態情報モジュール２２４が記録した同一のユーザー端末１０の状態情報が同じであるかどうかを判断する。もし同じならば、ステップＳ４００に戻り、続いて検出する。もし同じでなければ、ステップＳ４２０に進む。
【００３４】
ステップＳ４２０において、前記第一判断サブモジュール２６０４は、前記第一ユーザー・データ・ベース２６０２が記録したユーザー端末１０の状態情報とバック・アップ状態情報モジュール２２４が記録した同一のユーザー端末１０の状態情報を同期化する。
【００３５】
本実施形態において、状態情報システム２２とユーザー端末１０が直接に接続するため、ユーザー端末１０の状態に変化が発生した時、前記状態情報システム２２は、ユーザー端末１０の即時情報を最も早く獲得する。ネットワーク装置２０の中の間違いが発生したモジュールが取り替えられた後、インターフェース・システム２６は、すぐ前記状態情報システム２２のユーザー状態情報と同期化する。前記方法によって、ネットワーク通信ユーザーの通話の正確率を高めることができる。
【図面の簡単な説明】
【００３６】
【図１】本発明のネットワーク装置の適用環境を示す図である。
【図２】本発明のネットワーク装置の構成を示すブロック図である。
【図３】本発明のユーザー状態情報の同期化方法を示すフローチャートである。
【図４】本発明のユーザー状態情報の同期化方法を細分化したフローチャートである。
【符号の説明】
【００３７】
１０  ユーザー端末
２０  ネットワーク装置
２２  状態情報システム
２４  管理システム
２６  インターフェース・システム
３０  ローカル交換機
２２２  メイン状態情報モジュール
２２４  バック・アップ状態情報モジュール
２６０  メイン・インターフェース・モジュール
２６２  バック・アップ・インターフェース・モジュール
２６０２  第一ユーザー・データ・ベース
２６０４  第一判断サブモジュール
２６２２  第二ユーザー・データ・ベース
２６２４  第二判断サブモジュール
【図１】
2007282236.tif 000003
【図２】
2007282236.tif 000004
【図３】
2007282236.tif 000005
【図４】
2007282236.tif 000006